(57)【要約】  【課題】  加熱調理中に容易に食材に手を加えることができる加熱調理装置を提供する。  【解決手段】  本発明に係る加熱調理装置は、食材が配置される矩形状の基台３と、基台３の一辺に立設される矩形状の支持部材５と、基台３の上方を覆い、支持部材５に上下動可能に支持される矩形状の昇降部材７と、昇降部材７に取り付けられ、赤外線を基台側に放射するカーボンヒーターランプ１５と、昇降部材７を上下方向の任意の位置に保持する位置制御機構とを備え、基台３と昇降部材７との間の調理空間は、支持部材５と対向する他辺側及びその両側において外部に開放されている。【選択図】  図１
2007029180.tif 000002
【特許請求の範囲】
【請求項１】
食材が配置される基台と、
前記基台に立設される支持部材と、
前記基台の上方を覆い、前記支持部材に上下動可能に支持される昇降部材と、
前記昇降部材に取り付けられ、赤外線を前記基台側に放射する放射部と、
前記昇降部材を上下方向の任意の位置に保持する位置制御機構とを備え、
前記基台と昇降部材との間の調理空間は、外部に開放されている、加熱調理装置。
【請求項２】
食材が配置される矩形状の基台と、
前記基台の一辺に立設される矩形状の支持部材と、
前記基台の上方を覆い、前記支持部材に上下動可能に支持される矩形状の昇降部材と、
前記昇降部材に取り付けられ、赤外線を前記基台側に放射する放射部と、
前記昇降部材を上下方向の任意の位置に保持する位置制御機構とを備え、
前記基台と昇降部材との間の調理空間は、前記支持部材と対向する他辺側及びその両側において外部に開放されている、加熱調理装置。
【請求項３】
前記放射部は、カーボンヒーターランプで構成されている、請求項１又は２に記載の加熱調理装置。
【請求項４】
前記位置制御機構は、
前記昇降部材の上下方向の移動をガイドするガイド部材と、
前記昇降部材の重量に抗して、当該昇降部材を支持するバネとを備え、
前記バネの張力と前記昇降部材の重量とのバランスにより、前記昇降部材は上下方向の任意の位置に保持可能となっている、請求項１から３のいずれかに記載の加熱調理装置。
【発明の詳細な説明】
【技術分野】
【０００１】
本発明は、赤外線による放射熱で加熱調理を行う加熱調理装置に関する。
【背景技術】
【０００２】
従来より、種々の加熱調理器が提案されている。例えば、特許文献１に記載の加熱調理器では、筐体の内部に食品を保持する網棚を配置し、網棚の上方に平面型遠赤外線ヒータを配設する一方、網棚の下方にはパイプ型遠赤外線ヒータを配設している。そして、上下に配設されたヒータからの遠赤外線により食材を加熱して調理を行っている。
【特許文献１】実開平５−７０４２８号公報
【発明の開示】
【発明が解決しようとする課題】
【０００３】
ところで、このような加熱調理装置では、前面の扉を閉じて内部を密閉した状態で調理を行うため、調理中に食材を移動させたり、ひっくり返したりすることができなかった。そのため、食材に手を加える場合には、その都度扉を開ける必要があり、面倒であった。
【０００４】
本発明は、上記問題を解決するためになされたものであり、加熱調理中に容易に食材に手を加えることができる加熱調理装置を提供することを目的とする。
【課題を解決するための手段】
【０００５】
本発明に係る第１の加熱調理装置は、上記問題を解決するためになされたものであり、食材が配置される基台と、前記基台に立設される支持部材と、前記基台の上方を覆い、前記支持部材に上下動可能に支持される昇降部材と、前記昇降部材に取り付けられ、赤外線を前記基台側に放射する放射部と、前記昇降部材を上下方向の任意の位置に保持する位置制御機構とを備え、前記基台と昇降部材との間の調理空間は、外部に開放されている。
【０００６】
また、本発明に係る第２の加熱調理装置は、食材が配置される矩形状の基台と、前記基台の一辺に立設される矩形状の支持部材と、前記基台の上方を覆い、前記支持部材に上下動可能に支持される矩形状の昇降部材と、前記昇降部材に取り付けられ、赤外線を前記基台側に放射する放射部と、前記昇降部材を上下方向の任意の位置に保持する位置制御機構とを備え、前記基台と昇降部材との間の調理空間は、前記支持部材と対向する他辺側及びその両側において外部に開放されている。
【０００７】
上記各装置における放射部は、カーボンヒーターランプで構成されることが好ましい。ここでいうカーボンヒーターランプは種々のものを用いることができるが、例えば鉱物性のフィラメントや植物性炭素繊維のフィラメントを用いたランプを使用することができる。但し、赤外線を放射するものであれば、これ以外のものでも使用可能である。
【０００８】
また、上記各装置における位置制御機構は、種々の構成にすることができるが、例えば、昇降部材の上下方向の移動をガイドするガイド部材と、昇降部材の重量に抗して、当該昇降部材を支持するバネとを備え、このバネの張力と昇降部材の重量とのバランスにより、昇降部材は上下方向の任意の位置に保持可能となるように構成することができる。
【０００９】
このとき、昇降部材の移動に伴ってバネ長が変化している間、バネの張力の変化が小さくなるようにすることが好ましい。このようにするには、例えば、バネ長の長いバネを使用し、バネ長に対するバネの伸びの割合が小さくなるようにすればよい。こうすることで、昇降部材の上下動の間、バネの張力を略一定、或いは非常に小さくすることができ、昇降部材がいずれの位置であっても、バネの張力とのバランスが取られて静止させることができる。
【発明の効果】
【００１０】
本発明に係る加熱調理装置によれば、加熱調理中であっても容易に食材に手を加えることができる。
【発明を実施するための最良の形態】
【００１１】
以下、本発明に係る加熱調理装置の一実施形態について図面を参照しつつ説明する。図１は本実施形態に係る加熱調理装置の斜視図である。
【００１２】
図１に示すように、この加熱調理装置１は、食材を配置する矩形状の基台３を備え、この基台３の後側の一辺から正面視矩形状の支持部材５が上方に向けて延びている。そして、支持部材５には、基台３の上面を覆う矩形状の昇降部材７が取り付けられている。この昇降部材７は、後端部が支持部材５に支持された状態で、後述する位置制御機構により支持部材５に沿って上下動可能となっている。この構成により、基台３と昇降部材７との間の空間、つまり調理が行われる調理空間Ｓは、その前面及び両側面が外部に開放しており、全体として断面コ字状に形成されている。
【００１３】
基台３の上面には、矩形状の凹部９が形成されている。この凹部９には、後述する図５に示すように、食材を載せる網棚１１を配置することができるとともに、例えば焼き肉、焼き鳥等を行う場合には、肉汁を受ける受け皿の役割を果たす。
【００１４】
図２は昇降部材の底面図であり、図３は昇降部材の側面図である。図２に示すように、昇降部材７の下面には、左右方向に延びる凹部１３が形成されており、この凹部１３に３本のカーボンヒータランプ（放射部）１５が平行に取り付けられている。また、凹部１３の底面は、取り外し可能となっている。より詳細には、凹部１３の底面を構成する板材１７は、凹部１３の側端面１３ａからさらに延びており、昇降部材７の側面から突出している。したがって、この突出部分１７ａを掴んで引っ張れば、板材１７を昇降部材７から取り出すことができるため、飛び散った油などを容易に清掃することができる。
【００１５】
カーボンヒータランプ１５は、種々のものを用いることができる。例えば、鉱物性のフィラメントを用いたものや、植物性炭素繊維からなるフィラメントを用いたものなど、種々のものを用いることができる。但し、植物性炭素繊維からなるフィラメントを有するランプを用いた場合には、水の赤外線吸収域（２．７μｍ〜３．４μｍ）の一部のピークにおいて、大きい放射量を得ることが出るため、後述するように、食材を内部から効率よく加熱することができる。このようなランプとしては、例えば、株式会社イーテック製「オルガヘキサ」（登録商標）をフィラメントにしたランプを用いることができる。
【００１６】
図１に示すように、昇降部材７上面の前側には、上下動の際に手で把持するための把持部１９が設けられるとともに、温度調節、タイマー等のスイッチ２１が設けられている。なお、調理空間Ｓを向く基台３の上面、支持部材５の前面は、熱が反射しやすく清掃をしやすい材料、例えばステンレスで構成されている。また、調理空間Ｓを向く昇降部材７の下面はステンレス、アルミメッキ鋼板などで構成することができ、カーボンヒータランプが配置される凹部１３の壁面はアルミ、ステンレス、アルミメッキ鋼板などで構成することができる。
【００１７】
続いて、昇降部材７を上下方向の任意の位置に保持するための位置制御機構について説明する。図４は支持部材の横断面図、図５は図４のＡ−Ａ線矢視断面図である。図４に示すように、昇降部材７の後端部は、支持部材５の前面に当接しており、昇降部材７は水平に支持された状態で、支持部材５に沿って上下動する。昇降部材７の両側には、ブラケット２３ａ，２３ｂが取り付けられており、各ブラケット２３は昇降部材７の後部両側から支持部材５の両側に沿って延びている。さらに、ブラケット２３の端部は、支持部材５の背面に回り込み、支持部材５の内部にまで延びている。支持部材内部の両側には、上下方向に延びる断面コ字状のガイド部材２５が形成されており、このガイド部材２５にブラケット２３の端部が上下動可能に係合している。これにより、昇降部材７は、上下方向に安定して移動することが可能となる。
【００１８】
図４及び図５に示すように、支持部材５内の上部には、水平方向に並ぶ４つのプーリー２７，２９が設けられている。両端に配置された一対の第１プーリー２７ａ，２７ｂは、ブラケット２３に近接した位置にあり、中央の一対の第２プーリー２９ａ，２９ｂは支持部材５の左右方向の中央で所定間隔をおいて配置されている。また、各第２プーリー２９の下方には、第３プーリー３１が配置されている。
【００１９】
両ブラケット２３ａ，２３ｂの下端部は一本のワイヤー３３で結ばれており、このワイヤー３３により第３プーリー３１を動滑車の原理により昇降させている。より詳細に説明すると、例えば左側のブラケット２３ａの下端部に取り付けられたワイヤー３３は、上方に延び、第１プーリー２７ａを介して水平に延びた後、第２プーリー２９ｂを介して下方に延びている。そして、第３プーリー３１に巻回して上方に延び、右側の第２プーリー２９ｂ，第１プーリー２７ｂを介して他方のブラケット２３ｂに取り付けられている。これにより、例えば昇降部材７がブラケット２３ともに下降すると、第３プーリー３１は動滑車の原理により上昇する。
【００２０】
図５に示すように、第３プーリー３１にはバネ３５が取り付けられている。このバネ３５は、一端部が第３プーリー３１に固定されるとともに、他端部が支持部材５の上部に固定されている。より詳細には、第３プーリー３１から下方に延びたバネ３５は、支持部材５の下端部に設けられたプーリー３７を介して図５の右側へ水平に延び、さらにもう一つのプーリー３８を介して、第３プーリー３５の背面を右上に斜め方向に通った後、支持部材５の上部に固定されている。この構成により、昇降部材７は、バネ３５の張力によって支持されている。すなわち、図５の状態において、昇降部材７の重量とバネの張力とは平衡状態にあり、これによって昇降部材７は静止している。この状態から昇降部材７を下方に押しやると、ワイヤー３３によって第３プーリー３１が上方に移動され、これに伴ってバネ３５が引っ張られる。ここで、本実施形態では、比較的長いバネ３５を用いているため、昇降部材７が上下動してもバネ長は、それほど変化しないようになっている。したがって、昇降部材７がいずれの位置にあっても、ほぼ同様のバネ張力で昇降部材７を支持することができ、これによって、昇降部材７はいずれの位置にあっても、バネ３５とのバランスが取られて静止する。
【００２１】
次に、上記のように構成された加熱調理装置の使用方法について説明する。まず、基台３の上面に調理対象となる食材を配置する。このとき、図６に示すように、必要に応じて、基台３の凹部９に網棚３９を配置する。続いて、食材の大きさ、必要な熱加減に応じて、昇降部材７の高さを調節する。すなわち、把持部１９を把持した状態で昇降部材７を上下動させ、所望の高さにセットする。上述したように昇降部材７はバネ３５とのバランスが取られているので、所望の位置で把持部１９から手を離せば、昇降部材７は静止する。これに続いて、昇降部材７のスイッチ１２をオンすると、カーボンヒータランプ１５から遠赤外線が放射される。遠赤外線が食材に吸収されると、食材内の水分子が振動を起こして発熱する。そのため、食材を内部から十分に加熱することができる。
【００２２】
以上のように、本実施形態の加熱調理装置によれば、食材を載せる基台３の一端部に支持部材５を設けるとともに、支持部材５には、基台３の上方を覆うカーボンヒータランプ１５付きの昇降部材７を上下動可能に取り付けている。したがって、この加熱調理装置は、前面及び両側面が開放した断面コ字状に形成されている。そのため、従来の加熱調理装置のように食材が筐体内に密封されていないため、調理中に食材に手を加えることができる。例えば、焼き肉や焼き鳥を調理する場合には、加熱調理中に肉をひっくり返したり、移動させたりすることが可能になる。さらに、図７に示すように、焼き鳥などの長い串Ｒを用いる場合であっても、両側が開放しているため、串が装置の両側からはみ出た状態にして調理することもできる。したがって、食材が調理空間Ｓに収まる大きさであれば、串や皿など器具の大きさにかかわらず、調理することができる。
【００２３】
ここで、この加熱調理装置１は、前面及び両側面が開放しているため、熱が逃げやすいという問題がある。これに対して、この装置では、昇降部材７を上下動させるようにしている。これにより、大きい熱量が必要な場合には、昇降部材７を下降させだけで、カーボンヒータランプ１５が食材に近接するため、加熱調理を効率よく行うことができる。しかも、この装置では、昇降部材７の上下の位置にかかわらず、前面及び両側が開放しているため、昇降部材７がいずれの位置にあっても、食材に手を加えつつ効果的に調理を行うことができる。
【００２４】
また、この装置は、上方から赤外線を照射して食材の加熱を行っているため、食材からしみ出した肉汁はすべて下方に滴り降ち、基台３の凹部９で受け止められる。そのため、従来の下方からの炭火による加熱調理のように、肉汁が食材の下方の炭に降りかかって煙が発生するということが起らない構造となっている。しかも、この装置では、食材の下方には、凹部９しかないため、清掃が容易になるという利点もある。
【００２５】
以上、本発明の一実施形態について説明したが、本発明は上記実施形態に限定されるものではなく、その趣旨を逸脱しない限りにおいて種々の変更が可能である。例えば、上述した位置制御機構は、バネ、プーリーなどを用いた簡単な機構であるため、低コストで昇降部材７の位置決めをすることができるが、これ以外の機構を用いて昇降部材７の位置を制御することができるのは勿論である。例えば、ラックアンドピニオン及びモータを用いて電動で昇降部材７を上下動させることもできるが、昇降部材７を上下方向の任意の位置で静止させることができれば、その機構は特には限定されない。
【００２６】
また、上記装置では、カーボンヒーターランプを用いているが、赤外線を放射する熱源であれば、特には限定されず、例えばハロゲンランプを用いることもできる。
【００２７】
上記実施形態では、基台、支持部材、及び昇降部材が、矩形状に形成されているが、これ以外の形状にすることもできる。また、支持部材は、板状に形成されているが、複数の支柱で構成して、昇降部材を支持するようにしてもよい。但し、少なくとも調理空間の一部を外部に開放し、調理中に手を加えるのに際し、その邪魔にならないように支持部材を配置する必要がある。
【図面の簡単な説明】
【００２８】
【図１】本発明の一実施形態に係る加熱調理装置の斜視図である。
【図２】昇降部材の底面図である。
【図３】昇降部材の側面図である。
【図４】支持部材の横断面図である。
【図５】図４のＡ−Ａ線矢視断面図である。
【図６】図１の加熱調理装置の使用方法の一例を示す斜視図である。
【図７】図１の加熱調理装置の使用方法の他の例を示す斜視図である。
【符号の説明】
【００２９】
１    加熱調理装置
３    基台
５    支持部材
７    昇降部材
１５  カーボンヒータランプ
３５  バネ
【図１】
2007029180.tif 000003
【図２】
2007029180.tif 000004
【図３】
2007029180.tif 000005
【図４】
2007029180.tif 000006
【図５】
2007029180.tif 000007
【図６】
2007029180.tif 000008
【図７】
2007029180.tif 000009